(57)【要約】【課題】記録媒体の所定のトラックを自動的に再生する。【解決手段】コンパクトディスクのＴＯＣ情報として、番号１乃至番号５の各トラックの開始位置の他、自動再生トラックの開始位置も記録する。自動再生トラックは、ｐｏｉｎｔにＥ０のコードが記録されるエントリに記録される。ＰＭＩＮ、ＰＳＥＣ、およびＰＦＲＡＭＥは、それぞれその位置の分、秒、およびフレームを表している。自動再生トラックが存在する場合、ディスクを装着すると、自動再生トラックの再生が直ちに開始される。本発明は、コンパクトディスクに適用できる。【選択図】　　　図６
2004047062.tif 000002
【特許請求の範囲】
【請求項１】
所定のデータが記録される記録媒体であって、
複数の記録データが記録されている複数のトラック、および前記記録媒体が装着された場合に自動的に再生される自動再生トラックが記録されるデータ領域と、
前記データ領域の再生に先立って再生される領域であって、複数の前記トラックにアクセスするためのアクセス情報、および前記自動再生トラックを指定する自動再生トラック情報が記録されている制御情報領域と
を備えることを特徴とする記録媒体。
【請求項２】
前記制御情報領域には、前記自動再生トラックと他のトラックとを識別するコードが記録されている
ことを特徴とする請求項１に記載の記録媒体。
【請求項３】
前記制御情報領域には、前記自動再生トラックの開始位置と終了位置とを表す情報が記録されている
ことを特徴とする請求項１に記載の記録媒体。
【請求項４】
前記制御情報領域には、前記自動再生トラックの位置を表す情報を記録する領域が、他のトラックの位置を表す情報が記録されている領域とは別に形成されている
ことを特徴とする請求項１に記載の記録媒体。
【請求項５】
前記制御情報領域には、前記自動再生トラックであるか否かを表すフラグが記録されている
ことを特徴とする請求項１に記載の記録媒体。
【発明の詳細な説明】
【０００１】
【発明の属する技術分野】
本発明は、例えばコンパクトディスク（ＣＤ）、ＣＤ−Ｉ、ビデオディスクなどの記録媒体に用いて好適な記録媒体に関する。
【０００２】
【従来の技術】
図１８は、従来のコンパクトディスクの記録装置の一例の構成を示すブロック図である。マスタリングシステム３は、ビデオテープレコーダ（ＶＴＲ）４とエディタ５により構成されている。ＶＴＲ４には、そのビデオトラック上に、例えば、所定の歌手が歌った歌を収録した音声情報が記録されているオリジナルテープ１が装着される。
【０００３】
エディタ５には、キー２を操作して、オリジナルテープ１に記録された複数の曲のそれぞれに対してアクセスするためのアクセス情報を入力することができ、エディタ５は、このアクセス情報をＶＴＲ４に供給する。ＶＴＲ４は、エディタ５より入力されたアクセス情報を、オリジナルテープ１の音声トラック上に書き込む（アフタレコーディングする）。このようにして、ＶＴＲ４により、音声情報とともに、その音声情報に対するアクセス情報が記録されたマスタテープ６が作成される。
【０００４】
このようにして作成されたマスタテープ６は、ＶＴＲ７に装着され、再生される。ＶＴＲ７により再生された信号のうち、音声情報は、ＥＣＣエンコーダ９に供給され、アクセス情報は、ジェネレータ８に供給される。
【０００５】
ＥＣＣエンコーダ９は、ＶＴＲ７より供給された音声情報に対し、誤り検出訂正符号の付加などの処理を行った後、変調装置１０に供給する。また、ジェネレータ８は、ＶＴＲ７より供給されたアクセス情報を、コンパクトディスクのＴＯＣフォーマットに従ったサブコード信号に変換し、変調装置１０に供給する。
【０００６】
変調装置１０は、ＥＣＣエンコーダ９より入力される音声データと、ジェネレータ８より供給されるサブコードとを、コンパクトディスクのフォーマットに従って多重化、変調し、カッティングマシン１１に供給する。カッティングマシン１１は、変調装置１０より供給された信号に従って、マスタディスク１２をカッティングする。
【０００７】
このようにして作成されたマスタディスク１２から、図示せぬ複製装置により、多数のコンパクトディスク２１（図１９）を複製する。
【０００８】
図１９は、このようにして製造されたコンパクトディスク２１のフォーマットを表している。同図に示すように、コンパクトディスク２１の最内周には、リードイン領域が形成され、最外周には、リードアウト領域が形成され、両者の中間がデータ領域とされている。
【０００９】
各領域においては、そのデータ部とサブコード部に、それぞれデータまたはサブコードが記録されるようになされている。データ領域のデータ部には、図１８のオリジナルテープ１より供給された音声情報（音楽情報）が記録されている。この例においては、トラック１乃至トラックＮにＮ曲の歌が記録されている。そして、そのサブコード部には、サブコードとして、各曲毎の再生時間、あるいはデータ領域の先頭位置からの絶対的位置を表す絶対時間などが記録されている。
【００１０】
また、リードイン領域とリードアウト領域においては、そのデータ部には何もデータが記録されていない。リードイン領域のサブコード部においては、コンパクトディスク２１のデータ領域に記録されているトラック１乃至トラックＮにアクセスするためのアクセス情報が、ＴＯＣ情報として記録されている。
【００１１】
図１８のエディタ５には、例えば図２０に示すように、トラック数ｎ（この例の場合、ｎ＝５）が、アクセス情報として入力される。このトラック数ｎは、オリジナルテープ１に記録されている曲の数に対応している。
【００１２】
また、アクセス情報としては、図２１に示すように、リードインの長さ、およびトラック番号１乃至トラック番号５の各トラックの長さのデータが入力される。これらの長さは、分、秒およびフレームを単位として表される。
【００１３】
例えば、この例においては、リードインの長さが２秒３０フレームとされ、トラック番号１の長さは４分５５秒２０フレームとされている。
【００１４】
アクセス情報として、このような情報が入力されると、コンパクトディスク２１のＴＯＣ情報としては、図２２に示すような情報が記録される。
【００１５】
即ち、トラック番号１乃至トラック番号５に対応して、ｐｏｉｎｔが０１乃至０５とされる。そして、各トラック番号のトラックの開始位置が、絶対時間の分（ＰＭＩＮ）、秒（ＰＳＥＣ）、およびフレーム（ＰＦＲＡＭＥ）として表される。例えば、トラック番号１の開始位置は、その前に２秒３０フレームのリードイン領域が形成されるため、２秒３０フレームとなる。また、このトラック番号１のトラックの長さは、４分５５秒２０フレームであるため、トラック番号２の開始位置は、トラック番号１の開始位置（２秒３０フレーム）に、トラック番号１のトラックの長さ（４分５５秒２０フレーム）を加算して、４分５７秒５０フレームとされる。
【００１６】
この例においては、番号１から番号５までの５つのトラックが形成されるため、最初の楽章番号（ｐｏｉｎｔ番号またはトラック番号）は、０１となり、最後の楽章番号（ｐｏｉｎｔ番号またはトラック番号）は、０５となる。そこで、これらの値がＰＭＩＮとして記録される。ＰＭＩＮに最初の楽章番号を記録する場合、ｐｏｉｎｔがＡ０とされる。また、ＰＭＩＮに最後の楽章番号を記録する場合、ｐｏｉｎｔがＡ１とされる。ｐｏｉｎｔがＡ０またはＡ１とされた場合においては、ＰＳＥＣおよびＰＦＲＡＭＥは、それぞれ００とされる。
【００１７】
さらに、この例においては、リードアウトの開始位置が２４分０４秒６５フレームとして記録されている。リードアウトの開始位置を、ＰＭＩＮ、ＰＳＥＣおよびＰＦＲＡＭＥに記録する場合においては、ｐｏｉｎｔにＡ２が配置される。
【００１８】
従って、コンパクトディスク２１を再生する場合、そのＴＯＣ情報を読み出し、そのＴＯＣ情報から再生すべきトラックの開始位置を読み出し、その位置にアクセスし、その位置が検出されたとき、その位置から再生を開始することで、任意のトラックを再生することが可能となる。
【００１９】
【発明が解決しようとする課題】
従来の装置においては、このように、再生すべきトラックを指定すると、ＴＯＣ情報からそのトラックの開始位置を読み出し、そこから再生を開始することができるようになされている。
【００２０】
従って、トラックを再生するには、そのトラックを使用者が指定しなければならなかった。その結果、例えば、予め設定されている所定のトラックを自動的に再生するようなことができない課題があった。
【００２１】
本発明はこのような状況に鑑みてなされたものであり、所定のトラックを自動的に再生することができるようにするものである。
【００２２】
【課題を解決するための手段】
請求項１に記載の記録媒体は、所定のデータが記録される記録媒体であって、複数の記録データが記録されている複数のトラック、および記録媒体が装着された場合に自動的に再生される自動再生トラックが記録されるデータ領域と、データ領域の再生に先立って再生される領域であって、複数のトラックにアクセスするためのアクセス情報、および自動再生トラックを指定する自動再生トラック情報が記録されている制御情報領域とを備えることを特徴とする。
【００２３】
制御情報領域には、自動再生トラックと他のトラックとを識別するコードを記録することができる。
【００２４】
制御情報領域には、自動再生トラックの開始位置と終了位置とを表す情報を記録することができる。
【００２５】
制御情報領域には、自動再生トラックの位置を表す情報を記録する領域を、他のトラックの位置を表す情報が記録されている領域とは別に形成することができる。
【００２６】
制御情報領域には、自動再生トラックであるか否かを表すフラグを記録することができる。
【００２７】
本発明においては、データ領域に、複数の記録データが記録されている複数のトラック、および記録媒体が装着された場合に自動的に再生される自動再生トラックが記録され、データ領域の再生に先立って再生される領域である制御情報領域に、複数のトラックにアクセスするためのアクセス情報、および自動再生トラックを指定する自動再生トラック情報が記録される。従って、自動再生トラックが自動的に再生され、例えば記録媒体を再生装置に装着するだけで、所定の情報を直ちに得ることが可能となる。
【００２８】
【発明の実施の形態】
図１は、データ記録装置を応用したコンパクトディスクの記録装置の一実施例の構成を示すブロック図であり、基本的には、図１８に示した従来の装置と同様の構成を有している。但し、この実施例は、エディタ５に対して、キー２を操作してアクセス情報が入力されるだけでなく、キー３１を操作して、自動再生トラック情報が入力されるようになされている点が、従来の場合と異なっている。
【００２９】
即ち、この実施例においては、キー２を操作して、例えば図２に示すように、トラック数ｎが入力されるとともに、図３に示すように、リードインおよびトラック番号１乃至トラック番号５の各トラックの長さが入力される。さらにまた、この実施例においては、キー３１を操作することにより、図４に示すように、自動再生トラックの長さが入力されるようになされている。この実施例においては、トラック数、リードインの長さ、および番号１から番号５までのトラックの長さは、図２０と図２１に示した従来の場合と同様とされている。そして、自動再生トラックの長さは１分とされている。
【００３０】
エディタ５は、キー２とキー３１を操作して入力されたアクセス情報と自動再生トラック情報を、コンパクトディスクのＴＯＣフォーマットのサブコードに対応する信号にして、ＶＴＲ４に供給する。ＶＴＲ４は、この信号を、オリジナルテープ１の音声トラック上に記録して、マスタテープ６を作成する。
【００３１】
マスタテープ６は、ＶＴＲ７に装着され、再生される。再生信号のうち、音声情報は、ＥＣＣエンコーダ９に入力され、誤り検出訂正符号の付加などの処理が施された後、変調装置１０に供給される。一方、ＶＴＲ７において、マスタテープ６の音声トラックから再生されたアクセス情報と自動再生トラック情報を含む信号は、ジェネレータ８に供給され、ＴＯＣフォーマットのサブコード信号に変換される。このサブコード信号は、変調装置１０に供給される。
【００３２】
変調装置１０は、ＥＣＣエンコーダ９より入力された音声データと、ジェネレータ８より供給されたサブコードデータとを多重化、変調し、記録信号としてカッティングマシン１１に供給する。カッティングマシン１１は、変調装置１０より供給された記録信号に対応してマスタディスク１２をカッティングする。
【００３３】
そして、マスタディスク１２から多数のレプリカを作成し、コンパクトディスク２１とする。
【００３４】
図５は、このようにして作成されたコンパクトディスク２１のフォーマットを表している。同図に示すように、この実施例においては、データ領域の先頭に（リードイン領域の直後に）自動再生トラックが形成されている。この自動再生トラックのデータ部には、例えば、データ領域に記録されているトラック番号１乃至トラック番号Ｎの各トラックに記録されている音声情報（曲）のタイトルや歌手名などが、音声情報としてまとめて記録されている。即ち、データ領域に記録されている音声情報の目次的な情報が記録されている。そして、勿論、番号１乃至番号Ｎの各トラックのデータ部には、それぞれ所定の音楽情報（曲）が記録される。
【００３５】
データ領域の外周側にはリードアウト領域が形成され、データ領域の内周側にはリードイン領域が記録されることは、図１９に示した場合と同様である。そして、データ領域のサブコード部には、各番号のトラック内における相対的位置を表す相対時間と、データ領域の先頭からの位置を表す絶対時間とが、サブコードデータとして記録されている。また、リードイン領域のサブコード部には、ＴＯＣ情報が記録されている。
【００３６】
図６は、ＴＯＣ情報の内容を表している。同図に示すように、ＴＯＣ情報としては、図２２に示した場合と同様に、番号１乃至番号５のトラックの開始位置が、ＰＭＩＮ、ＰＳＥＣ、ＰＦＲＡＭＥに、それぞれ分、秒、およびフレームとして記録される。
【００３７】
また、最初の楽章番号（ｐｏｉｎｔ番号またはトラック番号）と、最後の楽章番号（ｐｏｉｎｔ番号またはトラック番号）とが、ＰＭＩＮに記録される。また、リードアウトの開始位置が、ＰＭＩＮ、ＰＳＥＣ、およびＰＦＲＡＭＥに記録される。
【００３８】
以上のＴＯＣ情報は、基本的に図２２に示した場合と同様である。
【００３９】
また、この実施例においては、図６に示すように、以上の情報の他、自動再生トラックの開始位置が、ＰＭＩＮ、ＰＳＥＣ、およびＰＦＲＡＭＥに、分、秒、およびフレームとして記録される。この実施例の場合、リードイン領域の直後に自動再生トラックが形成されるため、自動再生トラックの開始位置は、リードインの長さが２秒３０フレームであるところから、２秒３０フレームとして記録されている。
【００４０】
そして、ＰＭＩＮ、ＰＳＥＣ、およびＰＦＲＡＭＥに自動再生トラックの開始位置を記録する場合においては、ｐｏｉｎｔにＥ０が記録されている。即ち、通常の音楽情報を記録するトラックは、ｐｏｉｎｔとして、００乃至９９のいずれかの値が記録される。自動再生トラックのｐｏｉｎｔとしては、００乃至９９以外の値が記録されるため、この自動再生トラックは、通常の音声情報を記録するトラックとは異なる特別のトラックとして取り扱われることになる。
【００４１】
このように、リードイン領域の直後に（番号１のトラックの直前に）自動再生トラックが記録されるため、番号１乃至番号５の各トラックの開始位置は、図２２に示した場合より、自動再生トラックの長さ（１分）分だけ大きい値とされている。リードアウトの開始位置も同様である。
【００４２】
即ち、例えば、番号１のトラックは、その開始位置が、図２２においては、２秒３０フレームであったものが、図６においては、１分２秒３０フレームとされている。また、リードアウトの開始位置は、図２２においては、２４分４秒６５フレームとされているものが、図６においては、２５分４秒６５フレームとされている。
【００４３】
図７は、以上のようにして形成されたコンパクトディスク２１の再生装置の一実施例の構成を示している。ドライブ４１は、コンパクトディスク２１が装着されると、それを再生し、再生信号を復調装置４２に出力するようになされている。復調装置４２は、ドライブ４１より入力された再生信号から、音声情報とサブコード情報とを分離、復調し、音声情報をＥＣＣ回路４３に、サブコード情報をシステムコントローラ４５にそれぞれ供給する。
【００４４】
ＥＣＣ回路４３は、復調装置４２より入力された音声情報の誤りを検出、訂正し、Ｄ／Ａ変換器４４に出力する。Ｄ／Ａ変換器４４は、入力されたデジタルデータをアナログ信号に変換して、図示せぬスピーカなどに出力する。
【００４５】
一方、システムコントローラ４５は、復調装置４２より供給されるサブコード情報をモニタし、その再生位置を検出する。また、入力されるサブコード情報がＴＯＣ情報である場合においては、その情報をＴＯＣ記憶回路（ＲＡＭ）４６に供給し、記憶させる。表示装置４７には、コンパクトディスク２１に記録されているトラックの数や、現在再生中のトラックの番号、あるいはタイトルなど、所定の情報を表示する。操作入力部４８は、ボタン、キー、あるいはリモートコントロール装置などにより構成され、使用者が所定の入力を行うとき操作される。ＲＡＭ４９には、必要に応じて所定のデータが記憶される。
【００４６】
次に、図８のフローチャートを参照して、その動作について説明する。最初にステップＳ１において、コンパクトディスク２１がドライブ４１に装着されるまで待機し、ドライブ４１がコンパクトディスク２１の装着を表すステイタスをシステムコントローラ４５に出力したとき、ステップＳ２に進み、システムコントローラ４５は、コンパクトディスク２１のＴＯＣ情報を読み取り、ＴＯＣ記憶回路４６に記憶させる。
【００４７】
即ち、システムコントローラ４５は、ドライブ４１よりコンパクトディスク２１が装着されたことを表すステイタスが供給されたとき、ドライブ４１を制御し、装着されたコンパクトディスク２１を回転させ、ドライブ４１に、そのリードイン領域のＴＯＣ情報を再生させる。ドライブ４１より出力された再生信号は、復調装置４２に供給され、復調される。復調装置４２により復調されたサブコード信号は、システムコントローラ４５を介してＴＯＣ記憶回路４６に供給され、記憶される。
【００４８】
次にステップＳ３に進み、システムコントローラ４５は、ＴＯＣ記憶回路４６に記憶したＴＯＣ情報から、自動再生トラックを表すコードＥ０がｐｏｉｎｔに記録されているか否かを判定する。上述したように、自動再生トラックが存在する場合、ｐｏｉｎｔにＥ０が記録されているエントリに、自動再生トラックの開始位置が記録されている。逆に、自動再生トラックが存在しない場合においては、ｐｏｉｎｔにＥ０が記録されているエントリが存在しないことになる。
【００４９】
ステップＳ３において、Ｅ０がｐｏｉｎｔに記録されているエントリが存在しないと判定された場合、ステップＳ６に進み、コンパクトディスク２１の再生動作を停止させる。即ち、システムコントローラ４５は、ドライブ４１を制御し、コンパクトディスク２１の回転を停止させる。
【００５０】
次にステップＳ７に進み、操作入力部４８より終了の指令が入力されているか否かを判定し、終了の指令が入力されていなければ、ステップＳ８に進み、操作入力部４８を操作して、再生トラックの指定がなされたか否かを判定する。所定のトラックを再生すべき入力が行われていない場合においては、ステップＳ７に戻る。このように、ステップＳ７とステップＳ８の処理を、所定のトラックの再生が指令されるまで、繰り返し実行する。
【００５１】
この状態において、操作入力部４８が操作され、所定のトラックを再生すべき入力が行われた場合においては、ステップＳ８からステップＳ１０に進み、指定されたトラックを再生する。即ち、システムコントローラ４５は、操作入力部４８より入力された番号のトラックの開始位置をＴＯＣ記憶回路４６から読み出し、その位置にアクセスするように、ドライブ４１を制御する。
【００５２】
ドライブ４１は、コンパクトディスク２１を再生し、その再生信号を復調装置４２に出力する。復調装置４２は、再生信号中のサブコード信号を復調し、復調したサブコード信号をシステムコントローラ４５に出力する。システムコントローラ４５は、サブコード信号で表される絶対的位置（分、秒、およびフレーム）が、ＴＯＣ記憶回路４６から読み出した再生すべきトラックの開始位置と一致するように、ドライブ４１を制御する。
【００５３】
そして、その位置が所定の位置に達したとき、復調装置４２は、そのトラックのデータ部に記録されている音声情報を復調し、ＥＣＣ回路４３に出力する。ＥＣＣ回路４３は、入力された音声信号の誤り検出訂正処理を行い、Ｄ／Ａ変換器４４に出力する。Ｄ／Ａ変換器４４により、デジタル信号からアナログ信号に変換された音声信号は、図示せぬスピーカに出力される。このようにして、指定したトラックの再生が行われる。
【００５４】
次にステップＳ１１に進み、指定したトラック（現在再生中のトラック）の終了位置に達したか否かが判定され、まだ終了位置に達していない場合においては、ステップＳ１２に進み、他のトラックが再生すべきトラックとして指定されたか否かが判定される。現在再生中のトラック以外に他のトラックが指定されなければ、ステップＳ１１に戻る。
【００５５】
ステップＳ１１において、現在再生中のトラックの終了位置に達したと判定された場合においては、ステップＳ６に進み、再生動作を停止させる。そしてステップＳ７およびステップＳ８の処理を繰り返し実行する。
【００５６】
一方、所定のトラックを再生中に、ステップＳ１２において、他のトラックを再生すべきことが指令されたと判定された場合においては、ステップＳ１０に進み、その新たに指定されたトラックの再生を実行する。即ち、システムコントローラ４５は、所定のトラックを再生中に、操作入力部４８より、他のトラックを再生すべきことが入力されたとき、ドライブ４１を制御し、現在再生中のトラックの再生動作を停止させ、新たに入力されたトラックにアクセスさせる。そして、その新たなトラックの再生を開始させる。
【００５７】
以上、自動再生トラックが存在しない場合における処理は、従来の場合と同様の処理となる。
【００５８】
一方、ステップＳ３において、Ｅ０のコードがｐｏｉｎｔに記録されているエントリが、ＴＯＣ情報中に存在すると判定された場合（自動再生トラックが存在すると判定された場合）、ステップＳ４に進み、自動再生トラック再生処理を実行する。即ち、システムコントローラ４５は、ＴＯＣ記憶回路４６のｐｏｉｎｔにＥ０が記録されているエントリから、自動再生トラックの開始位置を読み取り、その開始位置にアクセスさせる。そして、その開始位置から再生を開始させる。この実施例の場合、図６に示すように、２秒３０フレームの位置から、１分の長さの自動再生トラックの再生が開始される。
【００５９】
復調装置４２は、ドライブ４１が出力する再生信号を復調し、音声情報を、ＥＣＣ回路４３、Ｄ／Ａ変換器４４を介して、図示せぬスピーカに出力させる。
【００６０】
この自動再生トラックには、この実施例の場合、例えばコンパクトディスク２１に記録されている、５つの曲のタイトル、および演奏者（歌手）などが記録されている。従って、例えばコンパクトディスク２１をドライブ４１に装着するだけで、そのディスクに記録されている音声情報の内容を知ることができる。このように、音声信号でコンパクトディスク２１に記録されている音声情報の内容を知らしめることは、例えば自動車の運転をしながらコンパクトディスクを聴くような場合における運転者、あるいは眼の不自由な人などに、非常に便利となる。
【００６１】
勿論、このとき、このような曲のタイトルや演奏者を表示装置４７に表示させるようにすることも可能である。
【００６２】
尚、ＴＯＣ情報は、コンパクトディスク２１上に同一の情報が３回繰り返して書き込まれている。従って、１つのＴＯＣ情報がドロップアウト（傷）などにより欠落したとしても、他の同一の情報を再生することで、そのドロップアウトによる影響を実質的に消滅させることが可能になる。
【００６３】
以上のようにして、自動再生トラックが再生されたとき、ステップＳ５に進み、その自動再生トラックの終了位置に達したか否かが判定される。終了位置に達したと判定された場合、ステップＳ６に進み、自動再生トラックの再生動作を停止させる。そして、ステップＳ７およびステップＳ８の処理を繰り返し実行し、次の再生トラックが指定されるまで待機する。
【００６４】
一方、ステップＳ５において、自動再生トラックの再生位置がまだ終了位置まで達していないと判定された場合、ステップＳ９に進み、操作入力部４８が操作され、他のトラックを再生すべき指令が入力されたか否かが判定される。他のトラックの再生が指示されなければ、ステップＳ５に戻る。
【００６５】
このようにして、自動再生トラックを再生中においては、ステップＳ５とステップＳ９の処理を繰り返し実行し、ステップＳ９において、自動再生トラックの再生中に、他のトラックを再生すべき指令が入力されたと判定された場合においては、ステップＳ１０に進み、現在再生中の自動再生トラックの再生動作を終了させ、新たに指定されたトラックにアクセスし、その再生を開始させる。そしてステップＳ１１およびステップＳ１２の処理を実行し、新たに再生されたトラックを再生中に、さらに他のトラックの再生が指令されるか否かを判定する処理を繰り返す。
【００６６】
所定のトラックを再生中に、他のトラックの再生が指令された場合においては、ステップＳ１０に戻り、それ以降の処理を繰り返し実行する。所定のトラックの再生中に、他のトラックの再生が指令されずに、そのトラックの再生が終了した場合においては、ステップＳ６に戻り、再生動作を停止させ、さらにステップＳ７，Ｓ８に進み、新たな再生の指令が入力されるまで待機する。
【００６７】
そしてステップＳ７において、操作入力部４８が操作され、再生動作の終了が指令されたと判定された場合においては、ステップＳ１３に進み、再生動作終了処理が実行される。
【００６８】
以上の実施例においては、ドライブ４１にコンパクトディスク２１が装着されると、そこに自動再生トラックが形成されていれば、直ちにその自動再生トラックの再生が開始されるようにしたが、所定の入力が行われたとき、その再生動作を開始させるようにすることも可能である。
【００６９】
即ち、例えば、バッテリで動作するような再生装置は、できるだけバッテリを長時間使用できるようにすることが好ましい。従って、このような場合においては、操作入力部４８の所定のキーが使用者によりタッチされるなどして、使用者より何らかの入力が行われた場合において、初めて自動再生トラックを再生させるようにすることができる。このようにすれば、バッテリの消耗を、より抑制することができる。
【００７０】
このような処理を実行する場合においては、図９のフローチャートに示すように、最初にステップＳ２１において、コンパクトディスク２１が装着されるまで待機し、装着された場合においては、ステップＳ２２に進み、ＴＯＣ情報を読み取り、ＴＯＣ記憶回路４６に記憶させる。そして、その後、ステップＳ２３に進み、ドライブ４１が制御され、コンパクトディスク２１の回転動作が一旦停止される。そして、さらにステップＳ２４に進み、操作入力部４８より、何らかのキーに対応する信号が入力されるまで待機する。そしてステップＳ２４において、何らかのキーが操作されたと判定された場合においては、ステップＳ２５に進み、Ｅ０のコードが記録されているｐｏｉｎｔが存在するか否かを判定する。
【００７１】
この図９のステップＳ２５乃至Ｓ３５の処理は、図８におけるステップＳ３乃至Ｓ１３の処理と同様の処理である。
【００７２】
以上のように、この実施例によれば、自動再生トラックが記録されているコンパクトディスク２１がドライブ４１に装着されたとき、直ちにその再生が開始されるのではなく、操作入力部４８の何らかのキーが操作されたとき、初めてその再生が開始される。従って、必要以上に電力が消費されることが防止される。
【００７３】
図８および図９に示した処理例においては、自動再生トラックが再生されている場合において、他のトラックの再生が指令されたとき、現在再生中のトラックの再生動作を停止させ、新たに再生が指令されたトラックの再生を開始するようにしたが、自動再生トラックのすべてが終了するまで待機するようにすることも可能である。
【００７４】
図１０と図１１の処理例は、この場合の処理動作例を表している。即ち、図１０のステップＳ５１乃至Ｓ６５の処理は、図８のステップＳ１乃至Ｓ１３の処理と基本的に同様の処理であるが、ステップＳ５５において、自動再生トラックの再生中に、その終了位置にまだ達していないことが検出されている場合、ステップＳ６０に進み、他のトラックの再生が指令されたか否か判定される。そして、他のトラックの再生が指令されなければ、ステップＳ５５に戻る。このように、自動再生トラックの再生中においては、ステップＳ５５とステップＳ６０の処理を繰り返し実行する。
【００７５】
そして、ステップＳ６０において、自動再生トラックの再生動作中に操作入力部４８が操作され、他のトラックの再生が指令されたと判定された場合においては、ステップＳ６１に進み、その指定したトラックの番号がＲＡＭ４９に記憶される。そして再びステップＳ５５に戻り、同様の処理を繰り返し実行する。
【００７６】
このようにして、ＲＡＭ４９には、自動再生トラックの再生動作中に、使用者により再生が指令されたトラックが記憶されることになる。そしてステップＳ５５において、自動再生トラックの終了位置が検出されたと判定された場合、ステップＳ５６に進み、ＲＡＭ４９に再生すべきトラックが記憶されているか否かが判定される。ＲＡＭ４９に再生すべきトラックが記憶されていない場合においては、ステップＳ５７に進み、自動再生トラックの再生動作を停止させ、ステップＳ５８とステップＳ５９において、新たに再生トラックが指令されるまで待機する。
【００７７】
一方、ステップＳ５６において、自動再生トラックの再生動作中に、他のトラックの再生が指令されていると判定された場合においては、ステップＳ６２に進み、その指定されたトラックにアクセスし、その再生が開始される。次にステップＳ６３に進み、再生中のトラックが終了したか否か判定し、終了していなければ、ステップＳ６４に進み、他のトラックの再生が指令されているか否かを判定する。他のトラックの再生が指令されていなければ、再びステップＳ６３に戻る。
【００７８】
ステップＳ６４において、他のトラックの再生が指令されていると判定された場合においては、ステップＳ６２に戻り、現在再生中のトラックの再生を終了し、新たに指定されたトラックにアクセスし、そのトラックの再生を開始する。
【００７９】
一方、ステップＳ６３において、再生中のトラックの終了が検出された場合においては、ステップＳ５７に進み、コンパクトディスク２１の回転が停止され、さらにステップＳ５８，Ｓ５９に進み、新たなトラックの再生が指令されるまで待機する。
【００８０】
以上のように、この処理例においては、自動再生トラック以外の他のトラックを再生中に、他のトラックの再生が指令された場合においては、現在再生中のトラックの再生を停止し、直ちに他のトラックの再生が開始される。これに対して、現在再生中のトラックが自動再生トラックである場合においては、この自動再生トラックを再生中に、他のトラックの再生が指令されたとしても、自動再生トラックの終了位置まで再生を継続し、終了位置まで再生が行われた後、新たなトラックの再生が開始される。従って、自動再生トラックに記録されているすべての音声情報を確実に確認することが可能となる。
【００８１】
この図１０の処理例においては、図８のフローチャートに示した場合と同様に、コンパクトディスク２１が装着された場合、自動再生トラックが存在するとき、その再生を直ちに開始するようにしたが、操作入力部４８の何らかのキーが操作されるまで待機し、何らかのキーが操作されたとき、初めて自動再生トラックを再生するようにすることも可能である。この場合においては、図１０のフローチャートは、図１１に示すように変更される。
【００８２】
即ち、図１１のステップＳ８１において、コンパクトディスク２１の装着が検出されるまで待機し、装着されたとき、ステップＳ８２において、ＴＯＣ情報を読み取り、記憶し、さらにステップＳ８３に進み、コンパクトディスク２１の回転を一旦停止させる。そしてステップＳ８４において、操作入力部４８の何らかのキーが操作されるまで待機する。そして、何らかのキーが操作されたとき、ステップＳ８５乃至Ｓ９７の処理を実行する。このステップＳ８５乃至Ｓ９７の処理は、図１０におけるステップＳ５３乃至Ｓ６５の処理と同様の処理となる。
【００８３】
以上の実施例においては、データ領域の先頭に自動再生トラックを形成するようにしたが、任意のトラックの一部の領域を自動再生トラック（自動再生領域）として指定することも可能である。
【００８４】
例えば図１２に示す例においては、トラック２の一部の領域が自動再生領域として指定されている。
【００８５】
このような指定を行う場合、ＴＯＣ情報は、例えば図１３に示すように構成される。この図１３の実施例においては、自動再生領域の開始アドレスと終了アドレスが、それぞれｐｏｉｎｔにＥ１およびＥ２で示すコードが記録されているエントリに絶対時間として記録される。この実施例の場合、４分５７秒５０フレームから始まるトラック２の中の、５分００秒００フレームから５分５９秒７４フレームまでの領域が、自動再生領域として指定されている。
【００８６】
従って、この実施例においては、このように指定されているトラック２の所定の領域の音声情報が、自動再生トラックの情報として、上述した場合と同様に再生される。
【００８７】
次に図１４乃至図１７を参照して、ＴＯＣ情報内において、自動再生トラックを指定する他の例について説明する。
【００８８】
図１４の実施例においては、ｐｏｉｎｔが００であるトラックが自動再生トラックとして規定されている。この番号００というトラック番号は、一般的には使用される頻度が極めて小さい。これは、この番号のトラックを規定すると、トラックの番号が、そのコンパクトディスクに記録されている曲の何番目の曲であるのかを表す序数に対応しなくなるからである（序数に対応させるには、１を加算する必要がある）。そこで、この番号００のトラックを自動再生トラックとして規定すれば、番号０１乃至９９のトラックを本来のトラックとして、そのまま使用することができ、従来の使用上の感覚と違和感が生じることが防止される。
【００８９】
図１５と図１６は、さらに他の実施例を表している。この実施例においては、ＴＯＣ情報として規定される範囲（テーブル）の最初の３バイトに、自動再生トラックの開始アドレスが記録されるようになされる。最初の１バイトは分を、次の１バイトは秒を、そして最後の１バイトはフレームを表している。従って、図１５の実施例においては、００分２０秒４０フレームが自動再生トラックの開始位置とされている。
【００９０】
これに対して、自動再生トラックが存在しない場合においては、図１６に示すように、その最初の３バイトの各バイトにＦＦ（１６進数）が記録される。
【００９１】
図１７は、さらに他の実施例を表している。この実施例においては、各トラック毎にフラグが記録されるようになされている。自動再生トラックにはフラグ１がセットされ、それ以外のトラックにはフラグ０がセットされる。従って、図１７の実施例においては、番号００のトラックが自動再生トラックとして規定されていることになる。
【００９２】
以上、本発明をコンパクトディスクに応用した場合を例として説明したが、本発明は、コンパクトディスクに音声情報だけでなく、ビデオ情報をも記録する場合、あるいは、ビデオディスク、その他の記録媒体に応用することも可能である。
【００９３】
記録媒体にビデオデータを記録することが可能である場合においては、自動再生トラックに記録されているビデオ信号を再生し、それを表示装置４７に表示させるようにすることができる。
【００９４】
【発明の効果】
以上の如く本発明によれば、記録データだけでなく、自動再生トラック情報を記録するようにしたので、使用者が特別の操作をすることなく、自動的にそこに記録されている情報を確認することが可能となり、操作性が改善される。従って、例えば、その記録媒体に記録されている情報の目次的な情報をそこに記録しておくことで、目次的情報を自動的に確認することが可能となる。
【図面の簡単な説明】
【図１】データ記録装置を応用したコンパクトディスクの記録装置の構成例を示すブロック図である。
【図２】図１におけるキー２により入力されるアクセス情報を説明する図である。
【図３】図１におけるキー２により入力されるアクセス情報を説明する図である。
【図４】図１におけるキー３１により入力される自動再生トラック情報を説明する図である。
【図５】図１により生成されるコンパクトディスク２１のフォーマットを説明する図である。
【図６】図１においてマスタディスク１２に記録されるＴＯＣ情報を説明する図である。
【図７】データ再生装置を応用したコンパクトディスクの再生装置の構成例を示すブロック図である。
【図８】図７のディスク再生装置の動作を説明するフローチャートである。
【図９】図７のディスク再生装置の動作を説明するフローチャートである。
【図１０】図７のディスク再生装置の動作を説明するフローチャートである。
【図１１】図７のディスク再生装置の動作を説明するフローチャートである。
【図１２】所定のトラックの一部の領域を自動再生トラックとする場合のフォーマットを説明する図である。
【図１３】所定のトラックの一部の領域を自動再生トラックとする場合のＴＯＣ情報を説明する図である。
【図１４】ＴＯＣ情報において自動再生トラックを規定する他の例を説明する図である。
【図１５】ＴＯＣ情報において自動再生トラックを規定する他の例を説明する図である。
【図１６】ＴＯＣ情報において自動再生トラックを規定する他の例を説明する図である。
【図１７】ＴＯＣ情報において自動再生トラックを規定する他の例を説明する図である。
【図１８】従来のコンパクトディスクの記録装置の構成例を示すブロック図である。
【図１９】従来のコンパクトディスクのフォーマットを説明する図である。
【図２０】図１８のキー２により入力されるアクセス情報を説明する図である。
【図２１】図１８のキー２により入力されるアクセス情報を説明する図である。
【図２２】図１８のマスタディスク１２より形成されるコンパクトディスク上のＴＯＣ情報を説明する図である。
【符号の説明】
１　オリジナルテープ
２　キー
３　マスタリングシステム
４　ＶＴＲ
５　エディタ
６　マスタテープ
７　ＶＴＲ
８　ジェネレータ
９　ＥＣＣエンコーダ
１０　変調装置
１１　カッティングマシン
１２　マスタディスク
２１　コンパクトディスク
３１　キー
４１　ドライブ
４２　復調装置
４３　ＥＣＣ回路
４４　Ｄ／Ａ変換器
４５　システムコントローラ
４６　ＴＯＣ記憶回路
４７　表示装置
４８　操作入力部
４９　ＲＡＭ
【図１】
2004047062.tif 000003
【図２】
2004047062.tif 000004
【図３】
2004047062.tif 000005
【図４】
2004047062.tif 000006
【図５】
2004047062.tif 000007
【図６】
2004047062.tif 000008
【図７】
2004047062.tif 000009
【図８】
2004047062.tif 000010
【図９】
2004047062.tif 000011
【図１０】
2004047062.tif 000012
【図１１】
2004047062.tif 000013
【図１２】
2004047062.tif 000014
【図１３】
2004047062.tif 000015
【図１４】
2004047062.tif 000016
【図１５】
2004047062.tif 000017
【図１６】
2004047062.tif 000018
【図１７】
2004047062.tif 000019
【図１８】
2004047062.tif 000020
【図１９】
2004047062.tif 000021
【図２０】
2004047062.tif 000022
【図２１】
2004047062.tif 000023
【図２２】
2004047062.tif 000024